(57)【要約】【課題】  その高さが天井まで届かない移動式パネルを備えた間仕切り装置の提供。【解決手段】  移動式パネル３はその上端中央に吊車２８を取付け、該吊車２８の両サイドには高さを低くしてガイド２９，２９を設け、又移動式パネル３の両側端には隙間防止材３８，３８を取付けると共に、隣り合う移動式パネル３，３が接合する際に隙間防止材３８，３８が当接しないように表面側と背面側に取付け、そして、ビーム２に形成した上レール３７，３７には吊車２８を載せ、ガイド２９，２９は上レール３７，３７から下方へ延びるガイド片４１，４１に拘束され、両ガイド片４１、４１にはガイド２９，２９が外へはみ出すことが出来る切欠き部４２ａ，４２ｂを互い違いに設け、移動式パネル３の回転方向を一定方向と定めている。【選択図】    図８
2011006974.tif 000002
【特許請求の範囲】
【請求項１】
その高さが天井まで届かない間仕切り装置の骨組みと成るフレームは柱とビームで構成し、該ビームに移動式パネルを吊設すると共にビームに形成した上レールに沿って移動すると共に回転して向きを変えることが出来る移動式パネルを備えた間仕切り装置において、移動式パネルはその上端中央に吊車を取付け、両サイドには高さを低くしてガイドを設け、又移動式パネルの両側端には隙間防止材を取付けると共に、隣り合う移動式パネルが互いに接合する際に隙間防止材が当接しないように表面側と背面側に取付け、そしてビームに形成した上レールには吊車を載せ、上記ガイドは上レールから下方へ延びるガイド片に拘束され、両ガイド片には移動式パネルの回転に伴ってガイドが外へはみ出すことが出来る切欠き部を互い違いに設け、移動式パネルの回転方向を一定方向と定めたことを特徴とする移動式パネルを備えた間仕切り装置。
【請求項２】
上記フレームは柱とビームが連結して構成され、四角形断面の柱側面には溝を長手方向に設けると共に側面に開口を有し、開口の両側には係止片を形成し、この溝に第１連結部材を嵌めて上記係止片に係止し、第２連結部材はビーム先端に固定され、そして第２連結部材の内側からボルトを介して上記第１連結部材を締め付けることで第２連結部材の表面を柱側面に圧着・固定し、そして第２連結部材のネジ穴に螺合して表面から突出した複数本のネジを第１連結部材の穴に嵌め、さらに第２連結部材の上端と下端には切欠き部を形成した請求項１記載の移動式パネルを備えた間仕切り装置。
【発明の詳細な説明】
【技術分野】
【０００１】
本発明はオフィスルーム等の比較的広い空間内に設置され、移動式パネルを備えた間仕切り装置に関するものである。
【背景技術】
【０００２】
建物の大きな空間を仕切るものとして間仕切り装置が多用されている。間仕切り装置にも色々なタイプがあり、床面から天井まで届くようにパネルを据え付けて構成する場合、又天井との間に空間を残してパネルを据え付けて構成する場合、更には私的な小さな空間を仕切るためのローパーティションと称される間仕切りを構成する場合などが知られている。
【０００３】
一方、間仕切りパネルを移動式として天井レールに吊設したタイプも知られている。すなわち、仕切られる空間の大きさを用途に応じて変更できるように移動式パネルが用いられ、該移動式パネルはその上端両側には吊車が取付けられ、該吊車は天井レールに沿って移動することが出来、所定の位置で固定する為の上下圧接部材を備えている。そして、吊車は両側に設けている為に安定はするが、収納する場合の収納空間には別に２本の収納レールを設けることが必要となる。従って、非常に大掛りで製造コストも高い移動式間仕切り装置となる。
【０００４】
勿論、上端中央に１個の吊車を取付けた移動式パネルは存在している。例えば、特開２００２−３８８０８号に係る「１点吊りの移動壁及び該移動壁による間仕切り装置」は、天井レールに吊設される移動壁であって、天井レールに対して交差した配列が可能となり、移動に際しても比較的安定する１点吊りの移動壁である。そこで、移動壁の上端中央には１個の吊車を取着し、そして天井レールの下面に接するか又は僅かな隙間を残して近接する横揺れ防止部材を吊りボルトの付近に取付けている。
この移動壁による間仕切り装置は、吊ボルト付近に横揺れ防止部材を取付けておりその構造は比較的簡単であるが、天井レールに沿って移動する際の安定性は十分でない。
【０００５】
又、特開２００８−１８００６５号に係る「移動式間仕切装置の案内装置」は、移動式パネルの上部が天井に設けたガイドレールで案内され、下部が床面上を走行する下荷重方式であり、各移動パネルをガイドレールの方向変換部から直列保持部へ、その境界に有する段差を超えて確実且つスムーズに移動案内することが可能な移動式間仕切装置の案内装置である。
そこで、各移動パネルをガイドレールの方向変換部から直列保持部へ、その境界に有する段差を超えて移動案内し、移動パネルの上端部に設けた凹溝部内に、ガイドレールの直列保持部を受け入れるために、ローラ又はスライダーからなるスムーザーをその一部が移動パネルの側端部から移動方向へ突出するように設けている。
【０００６】
この移動式間仕切装置の案内装置は、床面を走行する下荷重方式であり、走行安定性は優れているが、その構造は非常に複雑化し、必然的にコストは高くなる。
【特許文献１】特開２００２−３８８０８号に係る「１点吊りの移動壁及び該移動壁による間仕切り装置」
【特許文献２】特開２００８−１８００６５号に係る「移動式間仕切装置の案内装置」
【発明の開示】
【発明が解決しようとする課題】
【０００７】
このように、従来の移動式パネルを備えた間仕切り装置には上記のごとき問題がある。本発明が解決しようとする課題はこの問題点であり、まず構造が簡単で製造コストが安く、しかも移動パネルを移動する際に安定し、又、所定の位置で簡単に固定することが出来る移動式パネルを備えた間仕切り装置を提供する。
【課題を解決するための手段】
【０００８】
本発明が対象とする間仕切り装置は背丈は高いがその上端は天井までは届かない高さとしている。そこで、柱とビーム（横桟）にてフレームを構成し、該ビームは柱の上端にネジ止めにて連結している。柱の下端にはアジャスターが取付けられてその高さが調整される。ここで、移動式パネルはビームに設けた上レールに吊設されて移動可能とし、その為に移動式パネルの上端中央にはランナー（吊車）が取付けられ、吊車の両サイドにはガイドを設けている。
【０００９】
そして、移動式パネルの下端両サイドにはアジャスターが取付けられ、該アジャスターは床面との間に隙間を有しているが、所定の位置にて該アジャスターを押下げて固定することが出来る。又、移動式パネルの側端にはクッション機能を備えた隙間防止材を取付けている。ところで、該移動式パネルは中央に設けた吊車を中心として回転することが出来るが、その為にビーム下端に沿設しているガイド片が一部切欠かれて開口している。しかも、切欠き開口は同一位置ではなく、互い違いに（位置を違えて）設けている。
【００１０】
ところで、移動式パネルが吊設されるビームは柱の側面上端に連結されて間仕切り装置の丈夫なフレームを構成している。例えば、柱の側面には溝を長手方向に設け、この溝には第１連結部材が嵌り、ビーム先端には第２連結部材を取着している。上記溝はその開口両側に係止片が設けられて第１連結部材は該係止片に係止して開口から外れないようにしている。そして、第２連結部材側から第１連結部材をボルト締めすることで第２連結部材は柱側面に固定され、柱とビームは強固に連結される。
【発明の効果】
【００１１】
本発明の移動式間仕切り装置は、上端中央に吊車を取付け、その両サイドにはガイドを設けた移動式パネルであり、ビームに沿って設けた上レールに沿って安定して移動することが出来る。そして所定の位置では下端に設けたアジャスターを押し下げることで床面に圧着して固定される。このように、該移動式パネルは至って簡単な構造としている。
【００１２】
そして、吊車を中心として回転することが出来るために、上レールに吊設されたままで片側へ寄せて収納出来る。しかも、ガイド片に形成した切欠き開口を互い違いの位置に設けることで移動式パネルの回転方向は一定に定まり、配列される向きは常に同じとなる。さらに、側端にはクッション機能を備えた隙間防止材を取付けている為に、上レールに沿って配列する各移動パネル間に隙間が生じて光が漏れることはない。勿論、クッション機能を備えていることで、柱側面及び他の移動式パネルに当接した際の衝撃音が抑制される。
【００１３】
一方、本発明の移動式間仕切り装置のフレームは柱の上端にビームを連結して構成しているが、柱に設けた溝に嵌る第１連結部材とビーム先端に固定された第２連結部材をボルト締めした強固な連結構造であり、フレームの強度・剛性は高くて安定したものとなる。従って、該フレームのビームに移動式パネルを吊設して安定した走行が可能となる。
【図面の簡単な説明】
【００１４】
【図１】本発明に係る間仕切り装置の外観斜視図。
【図２】本発明に係る間仕切り装置で、（ａ）は平面図、（ｂ）は正面図。
【図３】Ｌ形天井を有すフレームを備えた間仕切り装置の平面図。
【図４】Ｔ形天井を有すフレームを備えた間仕切り装置の平面図。
【図５】４枚の移動式パネルをビームの上レールに吊設した正面図。
【図６】移動式パネルの具体例。
【図７】両柱間に移動式パネルが配置されている横断面図。
【図８】ビームの上レールに移動式パネルが吊設されている縦断面図。
【図９】ビームのガイド片に形成した切欠き部。
【図１０】柱とビームの連結構造を示す横断面図。
【図１１】柱の溝に嵌る第１連結部材の具体例。
【図１２】ビーム先端に固定される第２連結部材の具体例。
【図１３】柱にビームを連結する工程。
【図１４】ビームの縦断面図。
【発明を実施するための形態】
【００１５】
図１は本発明に係る柱とビームの連結構造を備えた間仕切り装置の外観を示す実施例であり、同図の１は柱、２はビーム、３は移動式パネルを夫々表している。同図に示す間仕切り装置はコ型を成し、２面に移動式パネル３，３・・・が配列され、１面には固定式パネル４，４・・・が配列した形態をしている。ここで移動式パネル３及び固定式パネル４の具体的な構造は限定しないことにする。
【００１６】
そして、所定の距離を隔てて起立した柱１，１の間には４枚の移動式パネル３，３・・・、及び固定式パネル４，４・・・が配列され、各固定式パネル４，４・・・間にはスタッドが介在して連結し、下端はアジャスターにて適当な高さに支持されている。又、固定式パネル４，４・・・の上端には上記ビーム２が載置され、固定式パネル４，４・・・の上端はビーム下側凹溝に嵌っている。一方の移動式パネル３，３・・・は上記ビーム２に形成した上レールに吊設されて、該上レールに沿って移動することが出来、片側に寄って収納されることで両柱１，１間をオープン状態とすることが出来る。
【００１７】
同図に示す間仕切り装置のコ型形態は１具体例に過ぎないが、Ｌ型であっても、又口型にすることも可能である。本発明は移動式パネル３，３・・・をビーム２の上レールに吊設して構成した間仕切り装置であり、移動式パネル３，３・・・の重量及び移動に際して発生する力はフレームに作用する。その為に、該フレームを構成する柱１，１とビーム２との連結構造は強固なものでなくてはならない。
【００１８】
ところで、同図に示す間仕切り装置は大きな空間に独立して設置されるタイプであるが、建物の壁面を一部兼用した移動式間仕切り装置とすることも可能である。図２は両側と奥側を建物の壁面５として正面にフレームを設置した場合であり、柱１，１は壁面５，５に面して起立し、そして両柱１，１の上端にビーム２が水平に掛架して連結している。ここで、ビーム２は天井との間に空間を残しており、正面には移動式パネル３，３・・・がビーム２に設けた上レールに吊設されている。
【００１９】
図３は３本の柱１ａ，１ｂ，１ｃを起立してＬ形フレームを構成している移動式間仕切り装置で、壁面５，５とで小空間を形成している。この場合は一方側面に移動式パネル３，３・・・を配列し、他方側面に固定式パネル４，４・・・を取付ける場合もある。又、図４は前記図２の間仕切り空間の中央に別な仕切りを設けた間仕切り装置を示している。このように、本発明の間仕切り装置は四方を移動式パネル３，３・・又は固定式パネル４，４・・・で囲むのではなく、建物の壁面とで間仕切り空間を形成することが出来る。そこで、柱１，１・・・を起立し、各柱１，１・・・の上端にビーム２，２・・・を掛架してフレームが構成される。
【００２０】
このように本発明の間仕切り装置の形態は色々あり、図１、図２、図３、図４に示す場合に限定するものではないが、柱１の上端にビーム２を強固に連結してフレームを構成し、このフレームに移動式パネル３，３・・又は固定式パネル４，４・・が取付けられる点は共通している。そして、柱１，１・・・の下端にはアジャスターが取付けられて、フレーム全体の高さ調整が行われる。
【００２１】
図５は両柱１，１間に４枚の移動式パネル３，３・・・を配列した場合の正面図であり、これら移動式パネル３，３・・・は上端に設けている吊車２８（ランナー）によってビーム２に形成した上レールに吊設されている。又、吊車２８の両サイド（パネル側端部）にはガイド２９，２９を有している。そして、移動式パネル３，３・・・の下端両サイドにはアジャスター３０，３０が取付けられていて、床面３１との間で固定されている。同図に示す移動式パネル３は上桟３２と下桟３３、及び縦桟３４，３４にて枠組みされた枠体で構成し、そして２本の中桟３５，３５を有し、これら各桟にて形成される区画にはガラス板３６，３６・・・が嵌っている。勿論、上記中桟３５を設けないで移動式パネル３を構成することもある。
【００２２】
図６は移動式パネル３を示している具体例である。吊車２８は移動式パネル３の上端から上方へ延びるボルト上端に軸支され、両サイドのガイド２９，２９は吊車２８より低く成っている。上記アジャスター３０，３０は移動式パネル３の下端から下方へ延びるボルトに取付けられ、ローラを回転することで降下して床面３１に圧接するように機能する。
【００２３】
ところで、この移動式パネル３はビーム２に形成した上レールに吊設され、上レールに沿って移動し、そして上レールに吊設されたままで回転してその向きを変えることが出来る。図７は両柱１，１の間に配列している移動式パネル３，３の横断面を示し、又図８はビーム２に設けた上レール３７，３７に移動式パネル３が吊設され、その下端のアジャスター３０が床面３１に固定されている縦断面を表している。
【００２４】
移動式パネル３の縦桟３４には隙間防止材３８が取付けられている。この隙間防止材３８は樹脂を押出し成形したもので、側端にネジ止めにて取付けられ、しかも左右の縦桟３４，３４の隙間防止材３８，３８の位置は表面側と背面側に違えている。その為に、隣り合う移動式パネル３，３が接合する場合には、隙間防止材３８，３８同士が当接することはなく、互いに重なり合うことで隙間が防止され、光の漏れを塞ぐことが出来る。
【００２５】
勿論、この隙間防止材３８は樹脂を押出し成形したものであるから、弾性変形することが出来、移動式パネル３、３が接合する際に、又は柱１に当る際に発生する衝撃を抑制出来る。ただし、隙間防止材３８の材質は何も樹脂に限るものではなく、金属などを使用することも出来る。
【００２６】
ビーム２はアルミの押出し材であり、吊車２８が嵌る空間３９が形成され、側板４０，４０から内側へ上レール３７，３７を延ばし、この上レール３７，３７に吊車２８が載っている。そして、上レール３７，３７の下方へ側板４０，４０を延長してガイド片４１，４１が設けられ、この両ガイド片４１，４１にガイド２９が拘束されている。そして、下端に取付けているアジャスター３０を押下げるならば、ガイド２９を押上げて上レール３７，３７に当接し、その結果、移動式パネル３は床面３１と上レール３７，３７との間で固定される。
【００２７】
ところで、このビーム２に吊設されている移動式パネル３は吊車２８を中心として回転することが出来、前記図７の点線で示すように該移動式パネル３はビーム２に対して垂直に配置される。そして、柱側に位置して収納される。ここで、ガイド片４１，４１には切欠き部が形成されていて、この切欠き部からガイド２９が通過してビーム２の外へはみ出すことが出来る。
【００２８】
図９はビーム２のガイド片４１，４１に形成した切欠き部４２を示している。ガイド片４１，４１は上レール３７，３７の下側へ側板４０，４０を延長して設けているが、切欠き部４２の位置は両ガイド片４１，４１の同じ位置ではなく、互い違いに設けている。同図のＡ−Ａ断面に示すように左側ガイド片４１が切欠かれて切欠き部４２ａを設け、又Ｂ−Ｂ断面に示すように右側ガイド片４１が切欠かれて切欠き部４２ｂを形成している。従って、吊車２８は両切欠き部４２ａ，４２ｂの中間に位置してガイド２９，２９は切欠き部４２ａ，４２ｂを通過するが、移動式パネル３の回転方向は定まっている。すなわち、反対方向に回転してもガイド２９，２９は切欠き部４２ａ，４２ｂを通過して外へはみ出すことは出来ない。
【００２９】
このように、フレームを構成するビーム２の上レール３７，３７に移動式パネル３，３・・が吊設されることで、フレームの強度・剛性は高くなくてはならない。ビーム２は柱１の側面に当接して連結されるが、ネジ止めにて固定される。すなわち、該ビーム２はアルミの押出し材で、連続した貫通穴を形成している為に、先端に第２連結部材１０を前以て取着し、この第２連結部材１０を柱１の側面にネジ止めすることが出来る。勿論、柱側にも別の第１連結部材９を取付けて互いにネジ止めされる。
【００３０】
図１０は柱１とビーム２の連結構造の横断面を示す具体例である。該柱１は側面にカバー６，６・・・を取付け、該カバー６，６・・は取外しすることが出来る。カバー６を取外すことで溝７が柱１に沿って形成され、該溝７は柱１の側面に開口すると共に両側には小さい係止片８，８を有している。そして、この溝７に上記第１連結部材９が嵌合し、両係止片８，８に係止することで側面の開口から第１連結部材９が外れることはない。一方、ビーム２の先端には第２連結部材１０が固定されている。
【００３１】
図１１は上記第１連結部材９を示す具体例である。第１連結部材９は同図に示すように、細長い長方形の板状体であって、２個のネジ穴１１，１１が斜めに設けられ、これらネジ穴１１，１１の間に２個の穴１２，１２を貫通して設けている。又、上端にはネジ１３を螺合し、その先端を僅かに背面側へ突出している。そして、第１連結部材９の両側には柱１の溝両側に設けた係止片８，８が係止することが出来る切欠き１４，１４を全長にわたって形成している。
【００３２】
図１２はビーム先端に固定される第２連結部材１０を示す具体例である。この第２連結部材１０も細長い長方形の板状体を成し、中央には２本のネジ１５，１５を螺合し、その先端を表面（柱側）へ突出している。そして、上端部と下端部にはボルトが挿入される段付き穴１６，１６を傾斜して設けている。又、この第２連結部材１０をビーム２の先端にネジ止めする為に、ネジが挿入される穴１７，１７・・・が上記段付き穴１６，１６とは反対側に４ヶ所に設けている。一方、第２連結部材１０の上端には切欠き部１８が設けられ、下端には別の切欠き部１９を設けている。
【００３３】
図１３はビーム２を柱１の側面に連結する工程を示す具体例である。
（ａ）はビーム２の先端に第２連結部材１０をネジ止めした場合である。ネジ止め用のネジ２０，２０・・・は第２連結部材１０に設けた穴１７，１７・・に挿入されてビーム２のネジ穴に螺合して固定される。ここで、第２連結部材１０の内側から螺合したネジ１５，１５の先端が表面２１から延びている。
【００３４】
（ｂ）第１連結部材９を第２連結部材１０の表面から突出した上記２本のネジ１５，１５に係止した場合である。又、第１連結部材９の上端背面２２にはネジ１３が突出している。このように、ネジ１５，１５は穴１２，１２に嵌って第１連結部材９が支持され、この状態で柱１に設けた溝７に第１連結部材９が嵌入する。前記図１０に横断面を示しているように、溝７は第１連結部材９がガタ付くことなく嵌入出来る大きさと成っている。そこで、第２連結部材１０から突出した２本のネジ１５，１５にて支持することで、第１連結部材９の向きを正しく定めて溝７に嵌入し易くなる。そして、一旦、溝７に嵌った第１連結部材９は仮にネジ１５，１５から外れても上端部に突出したネジ１３が柱１のリブ２３に係止して落下することはない。ここで、ボルト２４，２４を段付き穴１６，１６に挿入して第１連結部材９のネジ穴１１，１１に一部螺合した仮止め状態として、柱１の溝７に嵌入することも出来る。
【００３５】
（ｃ）このように、溝７に嵌った第１連結部材９は第２連結部材１０の背面側から斜めに挿入したボルト２４，２４によって絞め付けられる。すなわち、ボルト２４，２４は第１連結部材９に設けたネジ穴１１，１１に螺合して絞め付けられ、その結果、第２連結部材１０の表面は柱１の側面に当接すると共に圧着して固定される。そして、ボルト２４，２４は第１連結部材９のネジ穴１１，１１を貫通し、柱１のリブ２３に設けた穴をも貫通している。
【００３６】
このように、ビーム２は柱１の側面に強固に連結され、フレームが構成される。そして、ビーム２の上側凹溝２５に電気配線が収容されることもあり、この配線は第２連結部材１０の上端に設けた切欠き部１８を通って柱１の溝７に納まることが出来る。勿論、第１連結部材９にて切欠き部１８が塞がれないように短く成っている。一方、ビーム２にパネルを取付けない場合には下側凹溝２６には図１４にビームの縦断面を示すようにカバー２７が取付けられる。第２連結部材１０の下端の切欠き部１９は、このカバー２７を取付ける為のものである。
【符号の説明】
【００３７】
１  柱
２  ビーム
３  移動式パネル
４  固定式パネル
５  壁面
６  カバー
７  溝
８  係止片
９  第１連結部材
10  第２連結部材
11  ネジ穴
12  穴
13  ネジ
14  切欠き
15  ネジ
16  段付き穴
17  穴
18  切欠き部
19  切欠き部
20  ネジ
21  表面
22  背面
23  リブ
24  ボルト
25  凹溝
26  凹溝
27  カバー
28  吊車
29  ガイド
30  アジャスター
31  床面
32  上桟
33  下桟
34  縦桟
35  中桟
36  ガラス板
37  上レール
38  隙間防止材
39  空間
40  側板
41  ガイド片
42  切欠き部
【図１】
2011006974.tif 000003
【図２】
2011006974.tif 000004
【図３】
2011006974.tif 000005
【図４】
2011006974.tif 000006
【図５】
2011006974.tif 000007
【図６】
2011006974.tif 000008
【図７】
2011006974.tif 000009
【図８】
2011006974.tif 000010
【図９】
2011006974.tif 000011
【図１０】
2011006974.tif 000012
【図１１】
2011006974.tif 000013
【図１２】
2011006974.tif 000014
【図１３】
2011006974.tif 000015
【図１４】
2011006974.tif 000016